Podtech/llm-jp-corpus-v4-ja_patent huggingface dataset:
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
ネック部分（６）および注ぎ口（２２）における整列された開口部の平面に実質的に垂直な側壁（１０）によって規定されるネック部分（６）に、プラスチック製の注ぎ口（２２）を組み立てるためのプロセスであって、該側壁（１０）が、第１のプラスチック材料からなる、または該第１のプラスチック材料でコーティングされる側壁であって、該注ぎ口（２２）が、該注ぎ口（２２）中の開口部を閉めるホイル（４０）を備え、該ホイル（４０）が、第１のプラスチック材料に適合可能な第２のプラスチック材料でコー
ティングされる曝された表面を有し、該プロセスが、該ネック部分（６）上に注ぎ口（２２）を配置する工程、および該ホイル（４０）の曝された表面の一部を該側壁（１０）の実質的に垂直な表面の該第１のプラスチック材料に溶接される工程を包含する、プロセス。
【請求項２】
請求項１に記載のプロセスであって、前記ホイルの前記部分が、前記ネック部分（６）の内部側壁（１０）表面に溶接される、プロセス。
【請求項３】
請求項１に記載のプロセスであって、前記ホイル（４０）の前記部分もまた、前記ネック部分（６）の内部側壁（１０）上の内部に面するレッジ（４６）の上部表面に溶接される、プロセス。
【請求項４】
請求項１に記載のプロセスであって、前記ホイル（４０）の前記部分が、前記ネック部分（６）の外側側壁（１０）表面に溶接される、プロセス。
【請求項５】
請求項１に記載のプロセスであって、前記ホイル（４０）の前記部分が、前記開口部を囲む前記側壁（１０）の頂部表面にもまた溶接される、プロセス。
【請求項６】
請求項１〜５のいずれかの１つに記載のプロセスであって、前記第１のプラスチック材料が、ポリプロピレン、ポリエチレン、ＰＥＴまたはＰＶＣである、プロセス。
【請求項７】
請求項１〜６のいずれか１つに記載のプロセスであって、前記ネック部分（６）が、末端プレート（９０）上に提供され、そして前記注ぎ口（２２）が、該末端プレート（９０）に組み立てられ、続いて該末端プレート（９０）が、充填された容器にアセンブリ密封される、プロセス。
【請求項８】
請求項１〜７の任意の１つに記載のプロセスにおける使用のためのプラスチック製の注ぎ
口（２２）であって、該プラスチック製の注ぎ口（２２）は、注ぎ口（２２）およびホイル（４０）を備え、該注ぎ口（２２）は、第１の平面に整列された開口部を規定し、該開口部を囲むスカート（２０）を有し、該第１の平面と実質的に垂直に延び；そして該ホイル（４０）は、第１の部分および第２の部分を有し、該第１の部分は、該開口部を閉じ、該第２の部分は、該スカート（２０）の内部の周りに依存し、開口部およびスカートの内部の周りに依存する第２の部分を閉め、その結果該第２の部分は、該ホイル（４０）が断裂して開いた場合に、このような溶接が、垂直の力に供されるために、該注ぎ口（２２）の軸方向に走る表面に直面する容器の側壁（１０）に溶接され得る、注ぎ口。
【請求項９】
請求項８に記載のプラスチック製の注ぎ口（２２）であって、前記ホイル（４０）の前記第１の部分が、前記開口部の大きさに対してオーバーサイズの、注ぎ口。
【請求項１０】
容器中の開口部の平面に実質的に垂直な側壁（１０）を有する容器であって、該側壁（１０）が、第１のプラスチック材料からなるか、または該第１のプラスチック材料でコーティングされ、ホイル（４０）が該第１のプラスチック材料と適合性のプラスチック材料のコーティングによって該側壁（１０）の内部表面または外部表面に溶接され、該ホイル（４０）が、該側壁（１０）によって規定される該開口部に沿って延び、該容器に対して閉鎖物に密封される、容器。
【請求項１１】
請求項１０に記載の容器であって、容器がコーティングされた障壁である、容器。
【請求項１２】
請求項１０に記載の容器であって、前記側壁（１０）が、任意の輸送リング（８）上で滑らかである、容器。
【請求項１３】
請求項１０に記載の容器であって、前記側壁（１０）が、末端プレート（９０）上で形成され、この側壁が、それ自体容器本体に密封される、容器。
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
レシチンを含有する非乳化調合物の状態のプロドラッグエステルを調合する段階を含む、プロドラッグエステルの経口バイオアベイラビリティを向上させる方法。
【請求項２】
前記プロドラッグエステルが、抗生物質、コルチコステロイド、非ステロイド性抗炎症薬およびアンギオテンシンＩＩアンタゴニストから成る群より選択される、請求項１に記載の方法。
【請求項３】
前記プロドラッグエステルが、セファロスポリンβ−ラクタム抗生物質である、請求項１に記載の方法。
【請求項４】
前記調合物が、希釈剤、滑沢剤、流動性促進剤、崩壊剤、保存薬、芳香薬、酸化防止剤、甘味剤およびそれらの組合せから成る群より選択された少なくとも一つの追加成分をさらに含む、請求項１に記載の方法。
【請求項５】
セファロスポリンβ−ラクタム抗生物質のレシチンに対する重量比が、約９９：１〜約１：２である、請求項３に記載の方法。
【請求項６】
少なくとも一つの抗生物質、および
レシチン
を含む、乳化されていない医薬組成物。
【請求項７】
前記抗生物質が、テトラサイクリン、エリスロマイシン、ミデカマイシン、アンホテリシン、セフジトレン、セフジトレンピボキシル、ナリジクス酸、グリセオフルビン、ミノサイクリンおよびそれらの組合せから成る群より選択される、請求項６に記載の組成物。
【請求項８】
希釈剤、滑沢剤、流動性促進剤、崩壊剤、保存薬、芳香薬、酸化防止剤、甘味剤およびそれらの組合せから成る群より選択された少なくとも一つの追加成分をさらに含む、請求項６に記載の組成物。
【請求項９】
抗生物質のレシチンに対する重量比が、約９９．９：０．１〜約１０：９０である、請求項６に記載の組成物。
【請求項１０】
抗生物質のレシチンに対する重量比が、約９９：１〜約８０：２０である、請求項６に記載の組成物。
【請求項１１】
レシチンを含有する固体調合物の状態のプロドラッグエステルを調合する段階を含む、プロドラッグエステルの経口バイオアベイラビリティを向上させる方法。
【請求項１２】
前記プロドラッグエステルが、抗生物質、コルチコステロイド、非ステロイド性抗炎症薬およびアンギオテンシンＩＩアンタゴニストから成る群より選択される、請求項１１に記載の方法。
【請求項１３】
前記プロドラッグエステルが、セファロスポリンβ−ラクタム抗生物質である、請求項１１に記載の方法。
【請求項１４】
前記調合物が、希釈剤、滑沢剤、流動性促進剤、崩壊剤、保存薬、芳香薬、酸化防止剤、甘味剤およびそれらの組合せから成る群より選択された少なくとも一つの追加成分をさらに含む、請求項１１に記載の方法。
【請求項１５】
セファロスポリンβ−ラクタム抗生物質のレシチンに対する重量比が、約９９：１〜約８０：２０である、請求項１３に記載の方法。
【請求項１６】
少なくとも一つの抗生物質、および
レシチン
を含む、固体である医薬組成物。
【請求項１７】
前記抗生物質が、テトラサイクリン、エリスロマイシン、ミデカマイシン、アンホテリシン、セフジトレン、セフジトレンピボキシル、ナリジクス酸、グリセオフルビン、ミノサイクリンおよびそれらの組合せから成る群より選択される、請求項１６に記載の組成物。
【請求項１８】
希釈剤、滑沢剤、流動性促進剤、崩壊剤、保存薬、芳香薬、酸化防止剤、甘味剤およびそれらの組合せから成る群より選択された少なくとも一つの追加成分をさらに含む、請求項１６に記載の組成物。
【請求項１９】
抗生物質のレシチンに対する重量比が、約９９．９：０．１〜約１０：９０である、請求項１６に記載の組成物。
【請求項２０】
抗生物質のレシチンに対する重量比が、約９９：１〜約８０：２０である、請求項１６に記載の組成物。
【請求項２１】
セフジトレンピボキシルまたはその医薬適合性の塩、および
レシチン
を含む、固体である医薬組成物。
【請求項２２】
希釈剤、滑沢剤、流動性促進剤、崩壊剤、保存薬、芳香薬、酸化防止剤、甘味剤およびそれらの組合せから成る群より選択された少なくとも一つの追加成分をさらに含む、請求項２１に記載の組成物。
【請求項２３】
セフジトレンピボキシルのレシチンに対する重量比が、約９９：１〜約８０：２０である、請求項２１に記載の組成物。
【請求項２４】
少なくとも一つの抗生物質とレシチンの治療有効量の固体調合物を感染の治療が必要な患者に投与する段階を含む、感染の治療法。
【請求項２５】
前記抗生物質が、セファロスポリンβ−ラクタム抗生物質である、請求項２４に記載の方法。
【請求項２６】
前記調合物が、希釈剤、滑沢剤、流動性促進剤、崩壊剤、保存薬、芳香薬、酸化防止剤、甘味剤およびそれらの組合せから成る群より選択された少なくとも一つの追加成分をさらに含む、請求項２４に記載の方法。
【請求項２７】
セファロスポリンβ−ラクタム抗生物質のレシチンに対する比率が、約９９：１〜約１：２である。請求項２５に記載の方法。
【請求項２８】
ａ）薬物、レシチンおよび場合によっては少なくとも一つの賦形剤をブレンドして、パウダーブレンドを形成する（パウダーブレンドを形成するために水の添加を伴わない）段階；
ｂ）前記パウダーブレンドを圧縮して錠剤にする段階；およびその後、
ｃ）前記錠剤を回収する段階
を含む、直接圧縮によって錠剤を調製するための方法。
【請求項２９】
前記薬物が、抗生物質、コルチコステロイド、非ステロイド性抗炎症薬およびアンギオテンシンＩＩアンタゴニストから成る群より選択される、請求項２８に記載の方法。
【請求項３０】
前記抗生物質が、セファロスポリンβ−ラクタム抗生物質である、請求項２９に記載の方法。
【請求項３１】
前記賦形剤が、デンプン、スクロース、セルロース、第二リン酸カルシウムおよびそれらの組合せから成る群より選択される、請求項２８に記載の方法。
【請求項３２】
段階ａ）において、希釈剤、滑沢剤、流動性促進剤、崩壊剤、保存薬、芳香薬、酸化防止剤、甘味剤およびそれらの組合せから成る群より選択された追加成分を少なくとも一つさらに含む、請求項２８に記載の方法。
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
少なくとも１種の非イオン性界面活性剤および金属酸化物の疎水性粒子を含んでなる組成物であって、１次粒子の平均長が50〜90nmの範囲にあり、１次粒子の平均幅が5〜20nmの範囲にあり、そして２次粒子の中央値粒子体積直径が45nm未満である組成物。
【請求項２】
少なくとも１種の非イオン性界面活性剤および金属酸化物の疎水性粒子を含んでなる水性分散物の形態の組成物であって、１次粒子の平均長が50〜90nmの範囲にあり、１次粒子の平均幅が5〜20nmの範囲にあり、そして２次粒子の中央値粒子体積直径が45nm未満である組成物。
【請求項３】
少なくとも１種の非イオン性界面活性剤および524nm(E524)のところの吸光係数が2.0 l/g/cm未満、450nm(E450)のところの吸光係数が3.0 l/g/cm未満、360nm(E360)のところの吸光係数が3 l/g/cm超、308nm(E308)のところの吸光係数が30 l/g/cm超、最大吸光係数E(max)が45 l/g/cm超およびλ(max)が260〜290nmの範囲にある金属酸化物の疎水性粒子を含んでなる組成物。
【請求項４】
少なくとも１種の非イオン性界面活性剤および金属酸化物の疎水性粒子を含んでなる組成物であって、１次粒子の平均長が50〜90nmの範囲にあり、１次粒子の平均幅が5〜20nmの範囲にあり、そして２次粒子の中央値粒子体積直径が45nm未満である組成物から生成されるサンスクリーン製品の形態の組成物。
【請求項５】
前記金属酸化物の１次粒子が55〜77nm、好ましくは60〜70nmの範囲の平均長を有する先行する請求項のいずれか一項に記載の組成物。
【請求項６】
前記金属酸化物の１次粒子が8〜19nm、好ましくは12〜17nmの範囲の平均幅を有する先行する請求項のいずれか一項に記載の組成物。
【請求項７】
金属酸化物の１次粒子の中央値粒子体積直径が25〜31nm、好ましくは25〜28nmの範囲にある先行する請求項のいずれか一項記載の組成物。
【請求項８】
金属酸化物の２次粒子の中央値粒子体積直径が22〜30nm、好ましくは24〜30nmの範囲にある先行する請求項のいずれか一項記載の組成物。
【請求項９】
金属酸化物の粒子が、有機撥水性コーティングを含む先行する請求項のいずれか一項記載の組成物。
【請求項１０】
少なくとも１種の非イオン性界面活性剤が5〜20の範囲のHLB値を有する先行する請求項のいずれか一項記載の組成物。
【請求項１１】
分子量が250〜700の範囲の量だけ異なる２種類の非イオン性界面活性剤を含んでなる先行する請求項のいずれか一項記載の組成物。
【請求項１２】
水性分散物が、少なくとも35重量%、好ましくは少なくとも40重量%の金属酸化物粒子を含む、請求項２、および請求項５〜１１のいずれか一項記載の組成物。
【請求項１３】
金属酸化物の粒子が、524nm(E524)のところで、1.5未満、好ましくは1.2 l/g/cm未満の吸光係数を有する先行する請求項のいずれか一項記載の組成物。
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
アトモキセチンおよび式Ｉ：
【化１】
2005515199.tif 000001
［式中、ＸはＣ１−Ｃ４アルキルチオであり、ＹはＣ１−Ｃ２アルキルである］
で示される化合物またはその製薬上許容される塩からなる群から選択される選択的ノルエピネフリン再取込インヒビターの、チック障害の治療用医薬の製造用の単独活性成分としての使用。
【請求項２】
選択的ノルエピネフリン再取込インヒビターがアトモキセチンである、請求項１に記載の使用。
【請求項３】
アトモキセチンが塩酸塩の形態である、請求項２に記載の使用。
【請求項４】
トゥレット症候群の治療用である、請求項１〜３のいずれか１項に記載の使用。
【請求項５】
慢性チック障害の治療用である、請求項１〜３のいずれか１項に記載の使用。
【請求項６】
一過性チック障害の治療用である、請求項１〜３のいずれか１項に記載の使用。
【請求項７】
アトモキセチンおよび式Ｉ：
【化２】
2005515199.tif 000002
［式中、ＸはＣ１−Ｃ４アルキルチオであり、ＹはＣ１−Ｃ２アルキルである］
で示される化合物またはその製薬上許容される塩からなる群から選択される選択的ノルエピネフリン再取込インヒビターの、合併型注意欠陥多動性障害を伴うチック障害の治療用医薬の製造用の単独活性成分としての使用。
【請求項８】
選択的ノルエピネフリン再取込インヒビターがアトモキセチンである、請求項７に記載の使用。
【請求項９】
アトモキセチンが塩酸塩の形態である、請求項８に記載の使用。
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
トリプロリジン又はその塩若しくは水和物の、睡眠後に爽快に目覚めるための補助剤における有効成分としての使用。
【請求項２】
トリプロリジン又はその塩若しくは水和物の、個体が睡眠後に爽快に目覚めることを可能にする組成物の調製における、有効成分としての使用。
【請求項３】
トリプロリジン又はその塩若しくは水和物の、個体が睡眠後に爽快に目覚めることを可能にする薬剤の調製における、有効成分としての使用。
【請求項４】
トリプロリジン又はその塩若しくは水和物の、個体が睡眠後に爽快に目覚めることを可能にする睡眠補助剤の調製における使用。
【請求項５】
トリプロリジン又はその塩若しくは水和物の、人が睡眠後に爽快に目覚めることを可能にする睡眠補助剤における有効成分としての使用。
【請求項６】
トリプロリジン又はその塩若しくは水和物の、人が睡眠後に爽快に目覚めることを可能にする睡眠異常症の治療薬又は予防薬の調製における、有効成分としての使用。
【請求項７】
トリプロリジンの、睡眠異常症治療用組成物の製造における、有効成分としての使用。
【請求項８】
トリプロリジンの、睡眠を誘発し、睡眠時間を延長しかつ／又は睡眠の質を向上させるための組成物の製造における、有効成分としての使用。
【請求項９】
睡眠からの目覚め時に見られる足元のふらつき、けだるさ又は脱力感を治療又は予防するための組成物を製造するための、活性成分としてのトリプロリジンの使用。
【請求項１０】
有効成分であるトリプロリジン又はその塩若しくは水和物を、医薬品として許容し得る担体と共に含み、且つ所望の就寝時間又はその直前にそれらを非毒性で有効な量投与することに関する指示書を含む、爽快な目覚めのための補助剤。
【請求項１１】
睡眠からの目覚め時に見られる足元のふらつき、けだるさ又は脱力感を治療又は予防する医薬品製剤であって、有効成分であるトリプロリジン又はその塩若しくは水和物を、医薬品として許容し得るその担体と共に含み、且つ所望の就寝時間又はその直前にそれらを非毒性で有効な量投与することに関する指示書を含む、医薬品製剤。
【請求項１２】
個体が睡眠後により爽快に目覚めることを可能にする医薬品製剤であって、有効成分であるトリプロリジン又はその塩若しくは水和物を、医薬品として許容し得るその担体と共に含み、かつ所望の就寝時間又はその直前にそれらを非毒性で有効な量投与することに関する指示書を含む製剤。
【請求項１３】
所望の就寝時間前にトリプロリジンが投与される、請求項１から９のいずれか一項に記載の使用。
【請求項１４】
就寝時間前にユーザーに投与されるトリプロリジンの用量が０．０１ｍｇから２０ｍｇである、請求項１から９のいずれか一項に記載の使用。
【請求項１５】
就寝時間前にユーザーに投与されるトリプロリジンの用量が最大２０ｍｇまでである、請求項１から９のいずれか一項に記載の使用。
【請求項１６】
投与指示書が、就寝時間前に有効成分トリプロリジンを最大２０ｍｇまでの非毒性で有効な単回用量を投与することを指示している、請求項１１又は１２に記載の医薬品製剤。
【請求項１７】
投与指示書が、就寝時間前に有効成分トリプロリジンを０．０１ｍｇから２０ｍｇの非毒性で有効な単回用量を投与することを指示している、請求項１１又は１２までのいずれか一項に記載の医薬品製剤。
【請求項１８】
投与指示書が、就寝時間前に有効成分トリプロリジンを最大２０ｍｇまで非毒性で有効な単回用量を投与することを指示している、請求項１０に記載の爽快な目覚めのための補助剤。
【請求項１９】
投与指示書が、就寝時間前に有効成分トリプロリジンを０．０１ｍｇから２０ｍｇの非毒性で有効な単回用量を投与することを指示している、請求項１０に記載の爽快な目覚めのための補助剤。
【請求項２０】
トリプロリジンが、トリプロリジン塩酸トリプロリジンの形態である、請求項１から９、１４及び１５のいずれか一項に記載の使用。
【請求項２１】
前記組成物が、経口、鼻内、眼内、肛門内、肺内、経皮又は舌下による投与用である、請求項１から９、１４、１５及び２０のいずれか一項に記載の使用。
【請求項２２】
前記組成物が経口投与用である、請求項１から２１のいずれか一項に記載の使用。
【請求項２３】
前記組成物が、錠剤、カプセル剤、ドリンク剤、甘味入り錠剤、滴剤、乳剤、乾燥散剤、懸濁剤、トローチ剤、皮膚張りつけ吸収剤、坐剤、シロップ剤、舌下噴霧剤又は鼻内噴霧剤の形態をしている、請求項１から９、１４、１５、及び２０から２２のいずれか一項に記載の使用。
【請求項２４】
前記組成物が鼻孔の粘膜投与用である、請求項１から９、１４、１５及び２０のいずれか一項に記載の使用。
【請求項２５】
前記組成物が液剤若しくは懸濁剤又は散剤である、１から９、１４、１５、２０、２２及び２４のいずれか一項に記載の使用。
【請求項２６】
就寝前１分から２時間の間に投与するための、請求項１から９、１４、１５、及び２０から２５のいずれか一項に記載の使用。
【請求項２７】
前記トリプロリジンが、その中の１つが崩壊剤としても作用する２種類またはそれ以上の希釈剤の混合物を含有する製剤において、有効成分を形成している、請求項１から９、１４、１５、２０、２２、及び２４のいずれか一項に記載の使用。
【請求項２８】
前記トリプロリジンが、糖希釈剤を含む製剤の有効成分を形成している、請求項１から９、１４、１５、２０、２２、２４、及び２７のいずれか一項に記載の使用。
【請求項２９】
前記トリプロリジン製剤がさらに崩壊剤を含む、請求項２８に記載の使用。
【請求項３０】
前記トリプロリジン製剤が、糖希釈剤と崩壊剤とを崩壊剤１重量部に対して糖希釈剤１〜１０重量部の比で含む、請求項２９に記載の使用。
【請求項３１】
前記糖希釈剤がラクトースであり、崩壊剤がクロスカルメロースナトリウムである、請求項２９又は３０に記載の使用。
【請求項３２】
前記トリプロリジン製剤がさらに潤滑剤を含む、請求項２７から３１のいずれか一項に記載の使用。
【請求項３３】
前記潤滑剤がステアリン酸マグネシウムである、請求項３２に記載の使用。
【請求項３４】
前記トリプロリジン製剤が親水性ポリマーのコーティングを備えて形成されている、請求項２７から３３のいずれか一項に記載の使用。
【請求項３５】
親水性ポリマーがメチル化セルロース誘導体である、請求項３４に記載の使用。
【請求項３６】
有効成分を徐放若しくは持続放出することを意図した又はそのような放出に有効な成分を含まない、請求項２７から３５のいずれか一項に記載の使用。
【請求項３７】
非毒性で有効な量のトリプロリジン又はその塩若しくは水和物を投与するための、請求項１から９、１３から１５、及び２０から３６のいずれか一項に記載の使用。
【請求項３８】
請求項２７から３６のいずれか一項に記載の製剤を製造する方法であって、中間造粒工程を含まず、成分を直接圧縮して錠剤にする製造方法。
【手続補正書】
【提出日】平成17年10月11日(2005.10.11)
【手続補正１】
【補正対象書類名】明細書
【補正対象項目名】００７７
【補正方法】変更
【補正の内容】
【００７７】
特別な具体例では、工程ａ）において、少なくとも２つの異質遺伝子型の黒色腫細胞株を準備する。異質遺伝子型の細胞株の数は、メラノサイト分化抗原が存在しないように単離、篩通しされた好適なサブクローンの数に左右される。より多くの細胞株が提供されるほど、いくつかのイムノドミナントな癌／精巣抗原が、全細胞溶解物中において示される機会が多くなる。１具体例では、少なくとも５つのCT-抗原が、少なくとも２つの異質遺伝子型の細胞株から提供される。特別な具体例では、異質遺伝子型の細胞株は、DDM-1.7（ECACC 01112339）又はDDM-1.13（ECACC 01112338）から選ばれる（両細胞株は、European Collection of Animal Cell Cultures, CAMR, GB-Salisbury, Wiltshire SP4 0JG, United Kingdomに2001年１１月２３日付けで寄託されている）。
【手続補正２】
【補正対象書類名】明細書
【補正対象項目名】００７８
【補正方法】変更
【補正の内容】
【００７８】
本発明の他の態様は、上記特別な細胞株、及び少なくとも５つのＣＴ抗原を発現するが、メラノサイト分化抗原を発現しない又は実質的に発現しない他の細胞株にも関する。従って、本発明は、少なくとも５つのＣＴ抗原を発現するが、メラノサイト分化抗原を発現しない又は実質的に発現しない、単離された黒色腫細胞株に関し、特に、単離された細胞株DDM-1.7（ECACC 01112339）又はDDM-1.13（ECACC 01112338）に関する。従って、本発明は、少なくとも１つの黒色腫細胞株が、異質遺伝子型の細胞株DDM-1.7（ECACC 01112339）又はDDM-1.13（ECACC 01112338）から選ばれるものである医薬組成物又は本発明の方法にも関する。
【手続補正３】
【補正対象書類名】特許請求の範囲
【補正対象項目名】請求項１８
【補正方法】変更
【補正の内容】
【請求項１８】
異質遺伝子型の黒色腫細胞株が、DDM-1.7（ECACC 01112339）又はDDM-1.13（ECACC 01112338）から選ばれるものである請求項１７記載の医薬組成物。
【手続補正４】
【補正対象書類名】特許請求の範囲
【補正対象項目名】請求項２８
【補正方法】変更
【補正の内容】
【請求項２８】
DDM-1.7（ECACC 01112339）又はDDM-1.13（ECACC 01112338）から選ばれる、少なくとも５つの癌／精巣抗原を発現するが、系統特異的分化抗原を発現しない（溶解は、４時間の細胞毒性テストにおいて１０％未満である）単離黒色腫細胞株。
【手続補正５】
【補正対象書類名】特許請求の範囲
【補正対象項目名】請求項３４
【補正方法】変更
【補正の内容】
【請求項３４】
癌治療用の医薬組成物を製造するための単離細胞株DDM-1.7（ECACC 01112339）又はDDM-1.13（ECACC 01112338）。
【手続補正６】
【補正対象書類名】特許請求の範囲
【補正対象項目名】請求項５０
【補正方法】変更
【補正の内容】
【請求項５０】
異質遺伝子型の黒色腫細胞株が、DDM-1.7（ECACC 01112339）又はDDM-1.13（ECACC 01112338）から選ばれるものである請求項３５〜４９のいずれかに記載の方法。
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
約６４μｍｏｌ／ｌの亜鉛イオンと約３．１ｍｍｏｌ／ｌのルビジウムイオンと蒸留水との混合物を含む、慢性の開放創の治癒を促進するための組成物。
【請求項２】
約０．２ｍｍｏｌ／ｌのカルシウムイオンを含む、請求項１に記載の組成物。
【請求項３】
約０．８９５ｍｏｌ／ｌのカリウムイオンを含む、請求項１又は２に記載の組成物。
【請求項４】
前記組成物のｐＨを調節するのに適した酸を含む、請求項１から３のいずれか１項に記載の組成物。
【請求項５】
前記酸がクエン酸である、請求項４に記載の組成物。
【請求項６】
前記組成物がポリエチレングリコールを含む、請求項１から５のいずれか１項に記載の組成物。
【請求項７】
イオンチャンネル物質（ａ  ｃｈａｎｎｅｌｉｎｇ  ａｇａｎｔ）を含む、請求項１から６のいずれか１項に記載の組成物。
【請求項８】
亜鉛イオンとルビジウムイオンとカルシウムイオンとカリウムイオンと生理的に不活性な担体とを含み、この混合物がほぼ中性のｐＨを有する、慢性の開放創の治癒を促進するための組成物。
【請求項９】
前記亜鉛が塩化亜鉛を含む、請求項８に記載の組成物。
【請求項１０】
前記カルシウムが塩化カルシウムを含む、請求項８又は９に記載の組成物。
【請求項１１】
前記ルビジウムが塩化ルビジウムを含む、請求項８から１０のいずれか１項に記載の組成物。
【請求項１２】
約６４μｍｏｌ／ｌの塩化亜鉛と約３．１ｍｍｏｌ／ｌの塩化ルビジウムとを含有する組成物を含む、創傷と関連があるマトリクスメタロプロテイナーゼ２及び／又は９を調整（ｍｏｄｕｌａｔｉｎｇ）するための組成物。
【請求項１３】
水酸化カリウムを含む、請求項１２に記載の組成物。
【請求項１４】
約０．８９５ｍｏｌ／ｌのクエン酸カリウムを含む、請求項１２又は１３に記載の組成物。
【請求項１５】
約０．２ｍｍｏｌ／ｌの塩化カルシウムを含む、請求項１２から１４のいずれか１項に記載の組成物。
【請求項１６】
約０．８９５ｍｏｌ／ｌのカリウムイオンと約０．２ｍｍｏｌ／ｌのカルシウムイオンとを含む、請求項１２から１５のいずれか１項に記載の組成物。
【請求項１７】
ポリエチレングリコールを含む、請求項１２から１６のいずれか１項に記載の組成物。
【請求項１８】
前記組成物が実質的に５．０のｐＨを示す、請求項１２から１７のいずれか１項に記載の組成物。
【請求項１９】
約６４μｍｏｌ／ｌの亜鉛イオン及び約３．１ｍｍｏｌ／ｌのルビジウムイオンを含む混合物の、創傷中に導入することによって慢性の開放創を治療するための医薬組成物を製造するための使用。
【請求項２０】
前記医薬組成物が薬剤として許容可能な担体を含む、請求項１９に記載の使用。
【請求項２１】
前記医薬組成物が酸素除去剤を含む、請求項１９又は２０に記載の使用。
【請求項２２】
前記医薬組成物がイオンチャンネル物質を含む、請求項１９〜２１のいずれか１項に記載の使用。
【手続補正２】
【補正対象書類名】明細書
【補正対象項目名】００３０
【補正方法】変更
【補正の内容】
【００３０】
図３４及び図３６は、実施例５に関する２つの創傷を示す。図３５及び図３７は、完全に治癒した後の同じ２つの創傷を示す。図３４の創傷の完全な治癒は治療の８．５カ月後にもたらされ、図３６の創傷の完全な治癒は治療の９カ月後にもたらされた。
【手続補正３】
【補正対象書類名】明細書
【補正対象項目名】００３４
【補正方法】変更
【補正の内容】
【００３４】
組成物Ｉ及びＩＩＩを、化学発光アッセイ（反応性酸素種の生成の阻害の指標）、補体アッセイ（古典的経路、補体活性の指標）に供した。本発明のこれらの組成物は、以下のようなＩＣ−５０値を示した。
【表５】
2005515191.tif 000001
【手続補正４】
【補正対象書類名】明細書
【補正対象項目名】００４５
【補正方法】変更
【補正の内容】
【００４５】
本発明の組成物は、生物学的に比較的不活性であるか、あるいは創傷の治癒プロセスに関し不活性である、他の不活性成分を含むことができるが、本発明者は、（いくつかの組成物では）亜鉛、カリウム、ルビジウム及びカルシウムイオンが存在することが、創傷治癒の前述の劇的な結果を得るために不可欠であることを見出している。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
後部格納部（２）内に折畳み収納可能なルーフ及び案内手段が設けられているとともに、前記案内手段は、前記パネルが前記自動車のシャーシ部材（１）と前記格納部の蓋部（３）前方端の間にほぼ水平に延伸する第１の閉鎖位置から、前記パネルがほぼ垂直に配置されることによって前記ルーフが前記シャーシ部材（１）から前記前方端の間を通過するためのスペースを残す格納位置まで前記パネルを通過させることを可能にする、自動車用リアパネルであって、長手方向における前部部材（４）と長手方向における後部部材（５）とを備えること、前記案内手段は前記長手方向における前部部材（４）及び長手方向における後部部材（５）を、一方の部材を他方に重ね合わせて互いに対してほぼ平行に配置するため及び、前記パネルが前記シャーシ（１）と前記ルーフの後部部材（１４）の後方端の間にほぼ水平に配置される第２の閉鎖位置へと前記部材（４，５）を配置するために設けられること、及び、前記長手方向における前部部材（４）の前記後方端は前記長手方向における後部部材（５）の前方端と重なることを特徴とする自動車用リアパネル。
【請求項２】
前記パネルの前記長手方向における前部部材（４）は前記自動車の前記シャーシ（１）と一体化された横方向シャフト（７）の周りを回動すべく設けられていることを特徴とする請求項１に記載のパネル。
【請求項３】
前記パネルの長手方向における後部部材（５）は２つのリンク（１０，１１）の一端にて２つの横方向シャフトに連接され、前記リンクの他端はそれぞれ前記自動車のシャーシ（１）に、横方向シャフトの周りに連接されることを特徴とする、請求項１又は２に記載のパネル。
【請求項４】
請求項１〜３のいずれか一項に記載のリアパネルを供えることを特徴とする自動車。
【手続補正書】
【提出日】平成17年11月9日(2005.11.9)
【手続補正１】
【補正対象書類名】特許請求の範囲
【補正対象項目名】全文
【補正方法】変更
【補正の内容】
【特許請求の範囲】
【請求項１】
後部格納部（２）、該格納部（２）用の蓋部（３）、及び車室を覆う閉鎖位置から前記後部格納部（２）に格納される位置へと折畳み収納可能なルーフが設けられるとともに、前記ルーフは少なくとも１つの後部ルーフ部材（５）を備える、自動車のリアパネル（４）の制御装置であって、前記自動車の側面のうちの少なくとも１つに、
前記自動車のシャーシ（１）に回動手段を利用して連結されたパネル支持部材と、その結果前記パネル（４）は前記支持部材の回動によって、前記パネル（４）がほぼ垂直となり、かつ前記パネルが前記ルーフのための通路を空ける開放位置から、前記パネル（４）が、前記シャーシ（１）と前記後部格納部（２）の蓋部（３）前方端（１６）の間にほぼ水平に延伸する第１閉鎖位置及び、前記シャーシ（１）と前記ルーフの後部部材（５）後方端の間にほぼ水平に延伸する第２閉鎖位置の２つの閉鎖位置のうちの１つまで通過することと、
前記リアパネル（４）を前記支持部材に対して並進移動させる移動手段と、
前記支持部材に相対した、前記パネル（４）の前記蓋部（３）を指向する弾性戻り手段と、
前記ルーフが閉鎖位置にあるときに前記パネル（４）と前記ルーフの後部部材（５）の間にある当接手段（１３，１４）とが設けられていることを特徴とする制御装置。
【請求項２】
前記回動手段は前記シャーシ（１）に固定された横断方向回転シャフト（１５）によって形成されていることを特徴とする請求項１に記載の装置。
【請求項３】
前記回動手段は前記シャーシ（１）に連結された２つの連接アーム（１９，２０）から形成されていることを特徴とする請求項１に記載の装置。
【請求項４】
請求項１〜３に記載の装置を備えることを特徴とする自動車。
【手続補正書】
【提出日】平成17年9月15日(2005.9.15)
【手続補正１】
【補正対象書類名】特許請求の範囲
【補正対象項目名】請求項７
【補正方法】変更
【補正の内容】
【請求項７】
前記金属合金表面層が、肉盛溶接法により金属合金支持体層に付加される請求項２〜６のいずれか１項に記載の方法。
【手続補正２】
【補正対象書類名】特許請求の範囲
【補正対象項目名】請求項１１
【補正方法】変更
【補正の内容】
【請求項１１】
工程（ｂ）における前記ガス状原料が、炭化水素ガス、水蒸気及び二酸化炭素を含有し、かつ水蒸気対炭素のモル比が０．５〜１であり、ＣＯ２対炭素のモル比が０．５〜２である請求項１〜１０のいずれか１項に記載の方法。
【手続補正３】
【補正対象書類名】明細書
【補正対象項目名】０００８
【補正方法】変更
【補正の内容】
【０００８】
出願人は、低鉄金属合金表面を付加すると、ＣＳＲの反応管の外側に浸食及びコークスの生成が少なくなることを見い出した。調節ガスとして（実質量の）水蒸気の不存在下で行なう、即ち、水蒸気含有量が５０容量％未満、更に好ましくは１５容量％未満の熱ガスを発生する天然ガスの部分酸化をＣＳＲ（対流式水蒸気改質）法と組合せることが可能となる。部分酸化をＣＳＲ法と組合わせると、部分酸化により発生する熱ガスは、従来の改質器により発生する熱ガスよりも高温なので、更に有利である。その結果、ＣＳＲ装置に比較的多くの天然ガスを通して処理でき、及び／又はＣＳＲ装置の接触的水蒸気改質部の出口温度を高くできるので、天然ガスを高い転化率で操作できる。工程（ａ）で処理される天然ガスと工程（ｂ）で処理される天然ガスとの重量比は、好ましくは０．５〜３である。他の利点は、ＵＳ−Ａ−４９１９８４４に開示された方法に比べて、水素対一酸化炭素比を低くできることであり、このようなガスをフィッシャー・トロプシュ合成法、メタノール合成法又はＤＭＥ合成法の供給原料として用いた場合、有利である。上記組合わせ方法で得られる全合成ガスの好ましいＨ２／ＣＯモル比は、１．９〜２．３である。
【手続補正４】
【補正対象書類名】明細書
【補正対象項目名】００１７
【補正方法】変更
【補正の内容】
【００１７】
金属合金の２つの層は、当業者に公知の方法で製造できる。このような金属合金複合体は、溶接張りの（ｍｏｕｎｔｅｄ）多層金属表面が得られる肉盛溶接法により作製することが好ましい。この方法は、本発明の金属合金表面を有する、ＣＳＲ反応器に使用されるような扱い難い管状構造を作製できるので、好ましい。この方法は、表面層として使用される所望の金属合金が、まずガス噴霧化により噴霧化されて、該合金の粉末を形成することを特徴とする。この粉末の鉄含有量は、好ましくはほぼゼロである。この金属合金の層は、次に前記粉末のプラズマ粉末溶接による肉盛溶接により支持体金属合金上に付加される。溶接金属を機械加工すると、平坦な金属合金表面が得られる。金属合金表面の厚さは、１〜５ｍｍ、好ましくは１〜３ｍｍであってよい。金属合金層中の鉄含有量は、出発粉末が鉄を含有しない状況下で鉄を含有する可能性があることが見い出された。これは、溶接中に支持体層から鉄が表面層に移行するためである。表面層中の最終鉄含有量が２０重量％未満、好ましくは７重量％未満になるように、表面層への鉄の移行抑制に注意しなければならない。鉄の移行作用は、鉄含有量の少ない支持体層を用いる、層を厚くする、及び／又は層を２工程以上で付加することにより抑制できる。このような肉盛溶接法を行う好ましい方法は、ＥＰ−Ａ−１０４３０８４に記載されている。この刊行物は、参考のためここで援用した。この刊行物には、低級オレフィン、例えばエチレン及びプロピレンの製造を意図する水蒸気分解法用の耐コークス炉反応管を得る方法が記載されている。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
シーリングガスケットを有するエアロゾル計量弁に用いるための弁ステムにおいて、
放出出口を備えるステム部分と、
本体部分とを具備し、
前記本体部分は、ｉ）外面と内部空間を画定する内面とを有する本体壁と、ｉｉ）該本体壁を通って該内部空間に流体連通している入口と、ｉｉｉ）該本体壁を通って該内部空間に流体連通し、少なくとも１つの出口開口部を有する出口と、ｉｖ）シール貫入を制限するように構成された少なくとも１つのガスケット保護要素とを備えること、
を特徴とする弁ステム。
【請求項２】
前記ガスケット保護要素は、前記本体壁の前記外面に実質的に連続して前記出口開口部を少なくとも部分的に横切るように延びる少なくとも１つのリブを備える、請求項１に記載の弁ステム。
【請求項３】
前記弁ステムが長手方向軸を有し、前記ガスケット保護要素は、前記少なくとも１つの出口開口部の一部分を少なくとも備え、該一部分は、前記本体壁におけるその長手方向位置が該少なくとも１つの出口開口部の少なくとも１つの他部分とは異なるように構成されている、請求項１に記載の弁ステム。
【請求項４】
前記ガスケット保護要素は、前記少なくとも１つの出口開口部の周囲にある前記本体壁の前記外面の実質的に平担な一部分を少なくとも備える、請求項１に記載の弁ステム。
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
放射線硬化可能なインク用のインクジェット印刷装置において、
基板を受けるための支持体と、
前記基板上に放射線硬化可能なインクを指向するためのプリントヘッドと、
前記基板に受けられるインクに向かう経路に沿って放射線を指向するための硬化装置であって、前記プリントヘッドが前記硬化装置に対して移動可能である、硬化装置と、
遮蔽物と、
前記基板に受けられるインクに向かう放射線の進行を妨げるために、必要に応じて前記遮蔽物を前記経路の内外に選択的に移動させるための機構と、
を備えるインクジェット印刷装置。
【手続補正２】
【補正対象書類名】明細書
【補正対象項目名】００３０
【補正方法】変更
【補正の内容】
【００３０】
遮蔽物２０は、選択的移動のための機構２４に接続される。この実施形態において、機構２４は、シャフト２８によって遮蔽物２０に接続される可変速度電気モータ２６を備えている。モータ２６は、コントローラ１８に電気的に接続される。モータ２６の駆動は、遮蔽物２０をその中心軸を中心にして回転させる。基板１２が支持体１４上に収容されるとき、遮蔽物２０の回転軸は下にある基板１２の平面に平行であることが好ましい。さらに、遮蔽物２０の回転軸は、基板１２の進行方向に対して垂直であることが好ましい。
【手続補正３】
【補正対象書類名】明細書
【補正対象項目名】００３２
【補正方法】変更
【補正の内容】
【００３２】
必要に応じて、基板１２に指向される放射線の量を変化させるために、任意に開口部２２の幅（すなわち、遮蔽物２０の回転軸を中心にした円弧に沿った方向に）が変化してもよい。開口部２２の幅は、１つ以上の摺動カバーまたはプレートを設けることによって、手動で調整されてもよく、または１つ以上のカバーまたはプレートを移動する駆動システムによって自動で調整されてもよい。駆動システムが設けられる場合には、コントローラ１８に電気的に接続されることが好ましい。
【手続補正書】
【提出日】平成16年4月19日(2004.4.19)
【手続補正１】
【補正対象書類名】特許請求の範囲
【補正対象項目名】全文
【補正方法】変更
【補正の内容】
【特許請求の範囲】
【請求項１】
マイコプラズマ・ハイオニューモニエ（Ｍｙｃｏｐｌａｓｍａ  ｈｙｏｐｎｅｕｍｏｎｉａｅ）の感染に起因する、ヒト以外の動物における疾患または障害を治療または予防する方法であって、約３〜約１０日齢の動物にマイコプラズマ・ハイオニューモニエ  ワクチンの有効量を単回投与することを含む、前記方法。
【請求項２】
マイコプラズマ・ハイオニューモニエ  ワクチンが、不活化された、マイコプラズマ・ハイオニューモニエ細胞の全体または一部の調製物である、請求項１に記載の方法。
【請求項３】
マイコプラズマ・ハイオニューモニエ  ワクチンの単回投与が、約１ｘ１０６〜約５ｘ１０１０変色単位（ｃｏｌｏｒ  ｃｈａｎｇｉｎｇ  ｕｎｉｔｓ）（ＣＣＵ）を含有する、請求項２に記載の方法。
【請求項４】
投与される前記ワクチンの量が約０．５〜約３．０ｍｌである、請求項２または３に記載の方法。
【請求項５】
マイコプラズマ・ハイオニューモニエ細胞調製物がＲＥＳＰＩＳＵＲＥ−１である、請求項２ないし４のいずれか１項に記載の方法。
【請求項６】
マイコプラズマ・ハイオニューモニエ  ワクチンがマイコプラズマ・ハイオニューモニエ以外のウイルス性または細菌性抗原をさらに含む、請求項２ないし５のいずれか１項に記載の方法。
【請求項７】
ウイルス性または細菌性抗原が、ブタインフルエンザウイルス（ＳＩＶ）、ブタ繁殖・呼吸疾患ウイルス（ＰＲＲＳまたはブタミステリー病）、離乳後下痢（ＰＷＤ）及びブタ増殖性腸炎（ＰＰＥ）から選択される、請求項６に記載の方法。
【請求項８】
マイコプラズマ・ハイオニューモニエ調製物が筋肉内投与される、請求項２ないし７のいずれか１項に記載の方法。
【請求項９】
動物がワクチン接種２５週間後まで防御される、請求項１に記載の方法。
【請求項１０】
マイコプラズマ・ハイオニューモニエ  ワクチンがアジュバントをさらに含む、請求項１ないし９のいずれか１項に記載の方法。
【請求項１１】
マイコプラズマ・ハイオニューモニエ  ワクチンがサブユニットワクチンである、請求項１に記載の方法。
【請求項１２】
サブユニットワクチンが一つ以上の免疫原性ポリペプチドまたはタンパク質、あるいはこれらポリペプチドまたはタンパク質の免疫原性フラグメントを含む、請求項１１に記載の方法。
【請求項１３】
ポリペプチドまたはタンパク質が：Ｐ４６、Ｐ６５、Ｐ９７、Ｐ１０２、Ｐ７０、Ｐ５０及びＰ４４からなる群より選択される、請求項１２に記載の方法。
【請求項１４】
マイコプラズマ・ハイオニューモニエ  ワクチンが、一つ以上の免疫原性ポリペプチドまたはタンパク質、あるいはこれらポリペプチドまたはタンパク質の免疫原性フラグメントをコードする、１またはそれより多くの遺伝子または核酸を含み、そして該遺伝子または核酸がｉｎ  ｖｉｖｏにおいて発現可能である、請求項１に記載の方法。
【請求項１５】
遺伝子または核酸が：ｐ４６、ｐ６５、ｐ９７、ｐ１０２、ｐ７０、ｐ５０及びｐ４４からなる群より選択される、請求項１４に記載の方法。
【請求項１６】
マイコプラズマ・ハイオニューモニエの感染に起因する、動物における疾患または障害を治療または予防するためのワクチン処方物であって、該ワクチン処方物は約３〜１０日齢の動物に投与され、そしてマイコプラズマ・ハイオニューモニエ  ワクチンの単回投与の有効量を含む、前記ワクチン処方物。
【請求項１７】
マイコプラズマ・ハイオニューモニエ  ワクチンが、不活化された、マイコプラズマ・ハイオニューモニエ細胞の全体または一部の調製物を含む、請求項１６に記載のワクチン処方物。
【請求項１８】
マイコプラズマ・ハイオニューモニエ  ワクチンの単回投与が、約１ｘ１０６〜約５ｘ１０１０変色単位（ＣＣＵ）を含有する、請求項１７に記載のワクチン処方物。
【請求項１９】
投与されるワクチンの量が約０．５〜約３．０ｍｌである、請求項１７または１８に記載のワクチン処方物。
【請求項２０】
マイコプラズマ・ハイオニューモニエ細胞調製物がＲＥＳＰＩＳＵＲＥ−１である、請求項１７ないし１９のいずれか１項に記載のワクチン処方物。
【請求項２１】
さらにマイコプラズマ・ハイオニューモニエ以外のウイルス性または細菌性抗原を含む、請求項１７ないし２０のいずれか１項に記載のワクチン処方物。
【請求項２２】
ウイルス性または細菌性抗原が、ブタインフルエンザウイルス（ＳＩＶ）、ブタ繁殖・呼吸疾患ウイルス（ＰＲＲＳまたはブタミステリー病）、離乳後下痢（ＰＷＤ）及びブタ増殖性腸炎（ＰＰＥ）から選択される、請求項２１に記載のワクチン処方物。
【請求項２３】
さらにアジュバントを含む、請求項１７ないし２２のいずれか１項に記載のワクチン処方物。
【請求項２４】
マイコプラズマ・ハイオニューモニエ  ワクチンがサブユニットワクチンである、請求項１７に記載のワクチン処方物。
【請求項２５】
サブユニットワクチンが一つ以上の免疫原性ポリペプチドまたはタンパク質、あるいはこれらポリペプチドまたはタンパク質の免疫原性フラグメントを含む、請求項２４に記載のワクチン処方物。
【請求項２６】
ポリペプチドまたはタンパク質が：Ｐ４６、Ｐ６５、Ｐ９７、Ｐ１０２、Ｐ７０、Ｐ５０及びＰ４４からなる群より選択される、請求項２５に記載のワクチン処方物。
【請求項２７】
マイコプラズマ・ハイオニューモニエ  ワクチンが、一つ以上の免疫原性ポリペプチドまたはタンパク質、あるいはこれらポリペプチドまたはタンパク質の免疫原性フラグメントをコードする、１つ以上の遺伝子または核酸を含み、そして該遺伝子または核酸がｉｎ  ｖｉｖｏにおいて発現可能である、請求項１７に記載のワクチン処方物。
【請求項２８】
遺伝子または核酸が：ｐ４６、ｐ６５、ｐ９７、ｐ１０２、ｐ７０、ｐ５０及びｐ４４からなる群より選択される、請求項２７に記載のワクチン処方物。
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
式、
2005515170.tif 000001
ここでＲ及びＲ´は独立して、置換されている又はされていない炭化水素基である、
の、ヒドラジンに基づくジウレア誘導体の、本質的に針状である結晶を含む、本質的にホルムアルデヒドを含まない塗料又は接着剤であって、結晶の平均長が０．１〜３００マイクロメートルである塗料又は接着剤。
【請求項２】
Ｒ及びＲ´が同じであるところの、ヒドラジンに基づくジウレア誘導体を含む、請求項１に記載の塗料又は接着剤。
【請求項３】
炭化水素基がアルキル、シクロアルキル、アラルキル、及びアリール基から選択されるところの、ヒドラジンに基づくジウレア誘導体を含む、請求項１又は２のいずれか１項に記載の塗料又は接着剤。
【請求項４】
炭化水素基が、メチル、ブチル、ヘキシル、オクタデシル、ベンジル、メトキシベンジル、フェニル、メトキシフェニル、ナフタレン、ビフェニル、メトキシプロピル、エトキシプロピル、メタクリロイルエチル、及びアクリロイルエチルから選択される、請求項３に記載の塗料又は接着剤。
【請求項５】
式、
2005515170.tif 000002
ここでＲ及びＲ´は独立して、置換されている又はされていない炭化水素基である、
の、ヒドラジンに基づくジウレア誘導体の、本質的に針状である結晶をレオロジー調節剤として用いる方法。
【請求項６】
式、
2005515170.tif 000003
ここでＲ及びＲ´は独立して、置換されている又はされていない炭化水素基である、
の、ヒドラジンに基づくジウレア誘導体の、本質的に針状である結晶を含む、本質的にホルムアルデヒドを含まない、チキソトロープ性の樹脂組成物。
【請求項７】
ヒドラジンに基づくジウレア誘導体が、組成物の重量に基づいて０．１〜５０重量％の濃縮された量で存在するところの、請求項６に記載の樹脂組成物。
【請求項８】
塗料又は接着剤組成物を製造する方法において、請求項７に記載の濃縮物を使用する方法。
【請求項９】
ヒドラジンに基づくジウレア誘導体を含む、本質的にホルムアルデヒドを含まない、チキソトロープ性樹脂組成物を製造する方法において、ｉ）  少なくとも１の、式Ｒ−ＮＣＯのモノイソシアネート官能性化合物、ここでＲは請求項１〜４のいずれか１項において定義された意味を有する、をヒドラジンと反応させてヒドラジンに基づくジウレア誘導体を形成すること、及びｉｉ）該ヒドラジンに基づくジウレア誘導体を樹脂と混合して、平均長が０．１〜３００、好ましくは０．５〜１００マイクロメートルの、樹脂に埋め込まれたヒドラジンに基づくジウレア誘導体の針状の結晶を得ることを含む方法。
【請求項１０】
ヒドラジンに基づくジウレア誘導体の埋め込まれた針状結晶が一段階において得られるように、樹脂の存在下、イソシアネートとヒドラジンとが反応されるところの、請求項９に記載の方法。
【請求項１１】
結晶の平均長を０．１〜１００マイクロメートルまで減少させるために１以上の結晶成長調節剤が使用されるところの、請求項９又は１０のいずれか1項に記載の方法。
【請求項１２】
強制的な乾燥及び／又は焼付条件が適用されるところの、式
2005515170.tif 000004
ここでＲ及びＲ´は独立して置換されている又はされていない炭化水素基である、
の、ヒドラジンに基づくジウレア誘導体の、本質的に針状であり、結晶の平均長が０．１〜３００マイクロメートルである結晶を含む、塗料又は接着剤を硬化させる方法。
【手続補正２】
【補正対象書類名】明細書
【補正対象項目名】０００７
【補正方法】変更
【補正の内容】
【０００７】
本発明は、式、Ｒ´ＨＮ−ＣＯ−ＮＨ−ＮＨ−ＣＯ−ＮＨＲ、ここでＲ及びＲ´は独立して置換されている又はされていない炭化水素基である、のヒドラジンに基づくジウレア誘導体を含む特定の組成物に関する。これらの組成物は、該組成物がヒドラジンに基づくジウレア誘導体を針状結晶の形で含み、その結果、該組成物がSCAとして機能することを特徴とし、かつ該組成物がホルムアルデヒド又はホルムアルデヒドを生成する化合物を基本的に含まないことを特徴とする。
【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
フィルムがアモルファスポリカーボネートからなることを特徴とする自動封止特性を有するコンデンサにおける絶縁体としてのフィルム。
【請求項２】
プラスチックを溶媒で溶解することによって、プラスチックをキャスティングドラム上にキャスティングすることを特徴とする請求項１によるフィルムを製造する方法。